(57)【要約】【課題】  経年時であっても刃部に潰れや捩じれが発生しにくい、保形性の良好で安全性の高い竹刀を提供すること、及び、竹刀をそのようになすことができる刃部保形具を提供する。【解決手段】  竹刀の刃部における中結装着部位において、刃部を構成する複数の刃部構成片の内側に形成されている空洞部内に刃部保形具が装填される。刃部保形具は、上記空洞部に装填される断面四角形状の保形具本体と、固定部とを有し、保形具本体の中心部には空隙部が形成されている。上記固定部は、複数の孔部を有するテープ状部材により構成され、そのテープ状部材は刃部構成片の間隙より刃部の外部に表出し、刃部の長さ方向に沿って配設される弦を上記孔部に挿通すると共に、その上方から上記中結を巻きつけて固定される。【選択図】  図３
2006175220.tif 000002
【特許請求の範囲】
【請求項１】
細長板状の複数の刃部構成片がそれぞれ長さ方向に沿って横断面略方形状となるように配置されて形成されている竹刀の刃部において、上記刃部構成片の内側に形成されている空洞部内に装填可能に形成され、竹刀による打撃時の刃部への衝撃を吸収しうるように構成されていることを特徴とする刃部保形具。
【請求項２】
断面四角形状の保形具本体と、上記保形具本体に設けられた固定部とを有し、上記空洞部には上記保形具本体が装填され、その中心部には長さ方向に沿って円筒状の空隙部が形成されていることを特徴とする請求項１記載の刃部保形具。
【請求項３】
断面円形状の保形具本体と、上記保形具本体に設けられた固定部とを有し、上記空洞部には上記保形具本体が装填され、その中心部には長さ方向に沿って四角柱状の空隙部が形成されていることを特徴とする請求項１記載の刃部保形具。
【請求項４】
上記保形具本体は、上記竹刀の刃部の刃部構成片を幅方向に締め付けて固定する中結の装着部位において上記空洞部内に収納可能に形成されていることを特徴とする請求項２又は３記載の刃部保形具。
【請求項５】
上記保形具本体は、衝撃を吸収しうる弾性変形可能な素材により形成されていることを特徴とする請求項２〜４記載の刃部保形具。
【請求項６】
上記固定部は、複数の孔部を有し、上記保形具本体に直交するように配置されたテープ状部材により構成され、上記固定部は、上記保形具本体が刃部内に収納配置された場合には、刃部構成片の間隙より刃部の長さ方向に対して略直交するように外部に表出して配置され、上記孔部内に竹刀の上記刃部の長さ方向に沿って配設される弦を挿通すると共に、その上方から上記中結を巻きつけて固定するように構成されていることを特徴とする請求項２〜５記載の刃部保形具。
【請求項７】
細長板状の複数の刃部構成片がそれぞれ長さ方向に沿って横断面略方形状となるように配置されて形成された竹刀の刃部において、上記刃部構成片の内側に形成されている空洞部内に刃部保形具が装填されていることを特徴とする竹刀。
【請求項８】
上記刃部保形具は、断面方形状の保形具本体と、この保形具本体に設けられた固定部とを有し、上記保形具本体の中心部には長さ方向に沿って空隙部が形成されていることを特徴とする請求項７記載の竹刀。
【請求項９】
上記保形具本体は、上記刃部における中結の装着部位において上記空洞部内に配置されていることを特徴とする請求項７又は８記載の竹刀。
【請求項１０】
上記保形具本体は、衝撃を吸収しうる弾性変形可能な素材により形成されていることを特徴とする請求項８又は９記載の竹刀。
【請求項１１】
上記固定部は、複数の孔部を有し、上記保形具本体に直交するように配置されたテープ状部材により構成され、上記固定部は、上記保形具本体が刃部内に収納配置された場合には、刃部構成片の間隙より刃部の長さ方向に対して略直交するように外部に表出して配置され、上記孔部内に竹刀の上記刃部の長さ方向に沿って配設される弦を挿通すると共に、その上方から上記中結を巻きつけて固定するように構成されていることを特徴とする請求項８〜１０記載の竹刀。
【発明の詳細な説明】
【技術分野】
【０００１】
本発明は剣道で使用する竹刀及びその竹刀に使用される保形具に係り、特に、保形性に優れた竹刀及び竹刀の刃部の形状を保形しうる刃部保形具に関する。
【背景技術】
【０００２】
竹刀において打撃を行う刃部は、４枚の細長板状の刃部構成片がそれぞれ長さ方向に沿って配置され、その結果、横断面が四角形となり、内部に空洞を有する刃部構造として形成されている。
【０００３】
その結果、剣道の練習等で刃部を以って他人を打撃した際には、他人の身体のいずれかの箇所に衝接した上記刃部構成片のいずれかが、上記刃部構造の内側の空洞部内へ没入することにより衝撃が吸収されるように形成されている。
【０００４】
上記４枚の刃部構成片は竹製のものが多いが、近年ではカーボン製のものも形成されている。しかしながら、カーボン製のものは竹製のものに比べ撓りにくいことから衝撃を吸収しにくく、打たれた相手も、相手を打った側の人間も衝撃を感じやすい、という不具合がある。
【０００５】
従って、竹製のものが好ましいが、竹製のものであっても、長期間使用した場合には次のような不具合が生じてくる。
【０００６】
すなわち、図６及び図７に示すように、剣道の練習等により竹刀３０の刃部３１で打撃した場合には、経年時には、上記刃部構成片３２に潰れや捩じれが発生する。
【０００７】
このように、刃部構成片３２に潰れや捩じれが発生すると、打撃した際に、上記刃部構成片３１が撓りにくくなり、衝撃吸収性が損なわれ、その結果、練習の相手側において打撃された際の衝撃が大きくなり、また、同様に竹刀３０で打った側も打撃を感じやすくなる。
【０００８】
さらに、刃部構成片３２に捩じれや、潰れが発生した場合には、隣接する刃部構成片３２の端部同士が擦れ合って、刃部構成片３２の一部が剥離して、打撃の際に面の格子の間から相手方の目等に入る可能性があることが従来より指摘されている。
【０００９】
従って、剣道は学校体育として指導、練習されてきており、あくまでも最大限の安全性を確保することが必要であり、このような不具合を解決することが従来より要望されていた。
【００１０】
本出願の発明者は、上記不具合を解消しうる竹刀について調査したが、関連する先行技術文献を発見することができなかった。
【発明の開示】
【発明が解決しようとする課題】
【００１１】
本発明の課題は、経年時であっても刃部に潰れや捩じれが発生しにくい保形性の良好で安全性の高い竹刀を提供すること、及び、そのような刃部保形具を提供することにある。
【課題を解決するための手段】
【００１２】
上記課題を解決するために、請求項１記載の本発明に係る刃部保形具は、細長板状の複数の刃部構成片がそれぞれ長さ方向に沿って横断面略方形状となるように配置されて形成されている竹刀の刃部において、上記刃部構成片の内側に形成されている空洞部内に装填可能に形成され、竹刀による打撃時の刃部への衝撃を吸収しうるように構成されていることを特徴とする。
【００１３】
即ち、請求項１記載の本発明に係る刃部保形具にあっては、竹刀の刃部を構成している複数の刃部構成片の内側に形成されている空洞部内に装填されることによって、竹刀による打撃時の刃部への衝撃を吸収しうるように構成されているものである。
【００１４】
また、請求項２記載の本発明に係る刃部保形具は、断面四角形状の保形具本体と、上記保形具本体に設けられた固定部とを有し、上記空洞部には上記保形具本体が装填され、その中心部には長さ方向に沿って円筒状の空隙部が形成されていることを特徴とする。
【００１５】
即ち、請求項２記載の本発明に係る刃部保形具は、保形具本体と固定部とにより構成され、その保形具本体は上記空洞部に装填しうるように断面四角形状に形成されると共に、衝撃を吸収しうるようにその中心部には長さ方向に沿って円筒状の空隙部が形成されているものである。
【００１６】
請求項３記載の発明に係る刃部保形具は、断面円形状の保形具本体と、上記保形具本体に設けられた固定部とを有し、上記空洞部には上記保形具本体が装填され、その中心部には長さ方向に沿って四角柱状の空隙部が形成されていることを特徴とする。
【００１７】
また、請求項４記載の本発明に係る刃部保形具は、上記保形具本体は、上記竹刀の刃部の刃部構成片を幅方向に締め付けて固定する中結の装着部位において上記空洞部内に収納可能に形成されていることを特徴とする。
即ち、請求項４記載の本発明に係る刃部保形具にあっては、上記保形具本体が上記竹刀の刃部の刃部構成片を締め付ける中結の装着部位の内側に配置されるものである。
【００１８】
また、請求項５記載の本発明に係る刃部保形具は、上記保形具本体は、衝撃を吸収しうる弾性変形可能な素材により形成されていることを特徴とする。
【００１９】
即ち、請求項５記載の本発明に係る刃部保形具にあっては、上記空洞部に上記保形具本体を装填しても、衝撃吸収性が損なわれないように手当てされている。
【００２０】
また、請求項６記載の本発明に係る刃部保形具にあっては、上記固定部は、複数の孔部を有し、上記保形具本体に直交するように配置されたテープ状部材により構成され、上記固定部は、上記保形具本体が刃部内に収納配置された場合には、刃部構成片の間隙より刃部の長さ方向に対して略直交するように外部に表出して配置され、上記孔部内に竹刀の上記刃部の長さ方向に沿って配設される弦を挿通すると共に、その上方から上記中結を巻きつけて固定するように構成されていることを特徴とする。
【００２１】
即ち、請求項６記載の本発明に係る刃部保形具にあっては、上記固定部は刃部構成片の間隙より外部に表出しうるようにテープ状部材により形成されると共に、上記刃部の長さ方向に沿って配設される弦を挿通しうるように複数の孔部を有している。また、上記固定部の上方には上記中結が巻きつけられて固定されるものである。
【００２２】
また、請求項７記載の本発明に係る竹刀は、細長板状の複数の刃部構成片がそれぞれ長さ方向に沿って横断面略方形状となるように配置されて形成された竹刀の刃部において、上記刃部構成片の内側に形成されている空洞部内に刃部保形具が装填されていることを特徴とする。
【００２３】
即ち、請求項７記載の本発明に係る竹刀にあっては、上記刃部構成片の内側に形成された空洞部内に装填された刃部保形具が、上記刃部構成片の潰れや捩じれ等の変形を抑止するものである。
【００２４】
また、請求項８記載の本発明に係る竹刀は、上記刃部保形具は、断面方形状の保形具本体と、この保形具本体に設けられた固定部とを有し、上記保形具本体の中心部には長さ方向に沿って空隙部が形成されていることを特徴とする。
【００２５】
即ち、請求項８記載の本発明に係る竹刀にあっては、上記刃部保形具における上記保形具本体が、上記空洞部内にフィットしうるように断面方形状に形成されると共に、衝撃を受けた場合に変形して衝撃を吸収しうるように、その中心部には長さ方向に沿って空隙部が形成されたものである。
【００２６】
また、請求項９記載の本発明に係る竹刀は、上記保形具本体は、上記刃部における中結の装着部位において上記空洞部内に配置されていることを特徴とする。
【００２７】
即ち、請求項９記載の本発明に係る竹刀にあっては、相手と打ち合った場合に、相手の竹刀と衝接して変形しやすい部位である中結の装着部位の内側に上記保形具本体が配置されたものである。
【００２８】
また、請求項１０記載の本発明に係る竹刀は、上記保形具本体は、衝撃を吸収しうる弾性変形可能な素材により形成されていることを特徴とする。
【００２９】
即ち、請求項１０記載の本発明に係る竹刀にあっては、上記空洞部内に装填された上記保形具本体が刃部の衝撃吸収性を損なわないように、当該保形具本体自体に衝撃吸収性が付与されている。
【００３０】
請求項１１記載の本発明に係る竹刀は、上記固定部は、複数の孔部を有し、上記保形具本体に直交するように配置されたテープ状部材により構成され、上記固定部は、上記保形具本体が刃部内に収納配置された場合には、刃部構成片の間隙より刃部の長さ方向に対して略直交するように外部に表出して配置され、上記孔部内に竹刀の上記刃部の長さ方向に沿って配設される弦を挿通すると共に、その上方から上記中結を巻きつけて固定するように構成されていることを特徴とする。 
【００３１】
即ち、請求項１１記載の本発明に係る竹刀にあっては、上記保形具本体が刃部の長さ方向に位置ずれしないように、上記テープ状部材により形成された上記固定部を刃部構成片の間隙より刃部の外部に表出させて、そのテープ状部材に形成された上記孔部に、上記刃部の長さ方向に沿って配設される弦を挿通すると共に、その上方から上記中結を巻きつけて固定するようにしたものである。
【発明の効果】
【００３２】
請求項１記載の本発明に係る刃部保形具は、細長板状の複数の刃部構成片がそれぞれ長さ方向に沿って横断面略方形状となるように配置されて形成されている竹刀の刃部において、上記刃部構成片の内側に形成されている空洞部内に装填可能に形成され、竹刀による打撃時の刃部への衝撃を吸収しうるように構成されていることから、この刃部保形具を竹刀の刃部の内側に装填することにより上記複数の刃部構成片の変形を抑止することができるので、竹刀の刃部に繰り返し衝撃が加えられても潰れや捩じれを防止することができる。
従って、経年時にあっても、竹刀の刃部の衝撃吸収性が損なわれることがなく、打撃された相手の受ける衝撃が小さくなり怪我をしにくくなる。
また、刃部に捩じれや潰れが発生しないことから、隣接する刃部構成片の端部同士が擦れ合うことにより、刃部構成片の破断が生じる事態も減少することから、破断された破片が練習相手の目に当たる等の事態を防止することができる。
【００３３】
また、請求項２記載の発明に係る竹刀保形具は、断面四角形状の保形具本体と、上記保形具本体に設けられた固定部とを有し、上記空洞部には上記保形具本体が装填され、その中心部には長さ方向に沿って円筒形状の空隙部が形成されていることから、上記保形具本体を上記刃部の内側の空洞部にフィットするように装填することができる。
また、上記保形具本体の中心部に長さ方向に沿って円筒形状の空隙部が形成されていることから、当該保形具本体に衝撃が加わった場合に上記空隙部がその衝撃を吸収することができる。
【００３４】
また、請求項３記載の発明にあっては、竹刀保形具は、断面円形状の保形具本体と、上記保形具本体に設けられた固定部とを有し、上記空洞部には上記保形具本体が装填され、その中心部には長さ方向に沿って四角柱状の空隙部が形成され、保形具本体は、全体略円柱状に形成されていることから、上記刃部の内側に装着された場合には、打突時の衝撃により刃部構成片が撓んだ場合であっても、いかなる方向からの刃部構成片が変形した場合であっても、上記保形具本体が横断面方向において均等に撓み変形し、かつ復元することから、衝撃を有効に吸収することができる。
【００３５】
また、上記四角柱状の空隙部が形成されていることから、全体略円柱状に形成された保形具本体の横断面方向において潰れ変形が発生した場合、上記空隙部の各角部に応力が集中し、各角部を基礎として復元する。その結果、より復元力の強い刃部保形具を提供することができる。
さらに、保形具本体が全体略短円筒状に形成されていることから、刃部構成片の幅方向略中央部が夫々、上記保形具本体に当接した状態となり、各刃部構成片の当接部の部位が練習の相手方に当たったような場合に、本実施例においては、内方に空隙部が形成されていることから、各刃部構成片の変形が容易に行われ、前期実施例における場合よりも、より容易に衝撃を吸収することが可能となる。
【００３６】
その結果、本実施例に係る刃部保形具を使用した場合には、前記実施例におけるよりも、より強い衝撃に耐え、かつ、練習者にもダメージを与えることのない、安全な竹刀を提供することができる。
その結果、請求項３記載の発明に係る刃部保形具が使用された場合には、より衝撃吸収能力に優れた、安全な竹刀を提供することができる。
【００３７】
請求項４記載の本発明に係る竹刀保形具は、上記保形具本体が、上記竹刀の刃部の刃部構成片を幅方向に締め付けて固定する中結の装着部位において上記空洞部内に収納可能に形成されていることから、相手と打ち合った場合に、相手の竹刀と衝接しやすい部位である中結の装着部位の潰れや捩じれを有効に防止することができる。
【００３８】
また、請求項５記載の本発明に係る竹刀保形具は、上記保形具本体が、衝撃を吸収しうる弾性変形可能な素材により形成されていることから、上記保形具本体は上記刃部構成片の潰れや捩じれを防止しうると共に、衝撃吸収性を保持することができる。
【００３９】
また、請求項６記載の本発明に係る竹刀保形具は、上記固定部が、複数の孔部を有し、上記保形具本体に直交するように配置されたテープ状部材により構成され、上記固定部は、上記保形具本体が刃部内に収納配置された場合には、刃部構成片の間隙より刃部の長さ方向に対して略直交するように外部に表出して配置され、上記孔部内に竹刀の上記刃部の長さ方向に沿って配設される弦を挿通すると共に、その上方から上記中結を巻きつけて固定するように構成されていることから、上記テープ状部材に形成された上記孔部に上記弦を挿通して、その上方にさらに上記中結を巻きつけることにより、刃部内に収納配置された上記保形具本体が刃部の長さ方向に位置ずれするのを確実に防止することができる。
【００４０】
また、請求項７記載の本発明に係る竹刀は、細長板状の複数の刃部構成片がそれぞれ長さ方向に沿って横断面略方形状となるように配置されて形成された竹刀の刃部において、上記刃部構成片の内側に形成されている空洞部内に刃部保形具が装填されていることから、上記刃部保形具により上記複数の刃部構成片の変形を抑止することができるので、竹刀の刃部に繰り返し衝撃が加えられた経年時においても、その刃部に潰れや捩じれが発生するのを防止することができる。
従って、経年時にあっても、竹刀の刃部の衝撃吸収性が損なわれることがなく、打撃された相手の受ける衝撃が小さくなり怪我をしにくくなる。
また、刃部に捩じれや潰れが発生しないことから、隣接する刃部構成片の端部同士が擦れ合うことにより、刃部構成片の破断が生じる事態も減少することから、破断された破片が練習相手の目に当たる等の事態を防止することができる。
【００４１】
また、請求項８記載の本発明に係る竹刀は、上記刃部保形具は、断面方形状の保形具本体と、この保形具本体に設けられた固定部とを有し、上記保形具本体の中心部には長さ方向に沿って空隙部が形成されていることから、上記保形具本体を刃部の内側の空洞部にフィットするように装填することができて、上記刃部構成片を変形しないように確実に規制することができる。
また、上記保形具本体の中心部に長さ方向に沿って空隙部が形成されていることから、当該保形具本体に衝撃が加わった場合に上記空隙部がその衝撃を吸収することができ、刃部の衝撃吸収性が損なわれることなく保持される。
【００４２】
また、請求項９記載の本発明に係る竹刀は、上記保形具本体が、上記刃部における中結の装着部位において上記空洞部内に配置されていることから、相手と打ち合った場合に、相手の竹刀の刃部と衝接しやすい部位である中結装着部位の潰れや捩じれが上記保形具本体により有効に防止される。従って、刃部の保形性が改善されるので竹刀の耐久性が向上する。
【００４３】
また、請求項１０記載の本発明に係る竹刀は、上記保形具本体が、衝撃を吸収しうる弾性変形可能な素材により形成されていることから、上記保形具本体を刃部の内側の空洞部に装填しても衝撃吸収性が損なわれることがなく、相手と打ち合った場合に、相手に与えるダメージを弱めて、相手の怪我を防止することができる。
【００４４】
また、請求項１１記載の本発明に係る竹刀は、上記固定部は、複数の孔部を有し、上記保形具本体に直交するように配置されたテープ状部材により構成され、上記固定部は、上記保形具本体が刃部内に収納配置された場合には、刃部構成片の間隙より刃部の長さ方向に対して略直交するように外部に表出して配置され、上記孔部内に竹刀の上記刃部の長さ方向に沿って配設される弦を挿通すると共に、その上方から上記中結を巻きつけて固定するように構成されていることから、上記保形具本体を上記弦と上記中結により堅固に刃部構成片に対し固定することができる。これにより、上記保形具本体が刃部の長さ方向へ位置ずれるのを防止することができ、中結装着部位の刃部の変形が安定的に防止される。
【発明を実施するための最良の形態】
【００４５】
以下、図面を用いて本発明の実施の形態について説明する。
本実施形態に係る刃部保形具２１は、図３に示すように、細長板状の複数の刃部構成片１５がそれぞれ長さ方向に沿って横断面略方形状となるように配置されて形成されている竹刀１１の刃部１３において、上記刃部構成片１５の内側に形成されている空洞部１６内に装填可能に形成され、竹刀１１による打撃時の刃部１３への衝撃を吸収しうるように構成されている。
また、上記刃部保形具２１は、図２に示すように、断面四角形状の保形具本体２２と、上記保形具本体２２に設けられた固定部２３とを有し、上記空洞部１６には上記保形具本体２２が装填され、その中心部には長さ方向に沿って円柱状の空隙部２４が形成されている。
【００４６】
また、上記保形具本体２１は、図３に示すように、上記竹刀１１の刃部１３の刃部構成片１５を幅方向に締め付けて固定する中結１９の装着部位において上記空洞部１６内に収納可能に形成されている。
また、上記保形具本体２２は、衝撃を吸収しうる弾性変形可能な素材により形成されている。
【００４７】
また、上記固定部２３は、図２に示すように、複数の孔部２６を有し、上記保形具本体２２に直交するように配置されたテープ状部材２５により構成され、上記固定部２３は、図３に示すように、上記保形具本体２２が刃部１３内に収納配置された場合には、刃部構成片１５の間隙より刃部１３の長さ方向に対して略直交するように外部に表出して配置され、上記孔部２６内に竹刀１１の上記刃部１３の長さ方向に沿って配設される弦２０を挿通すると共に、その上方から上記中結１９を巻きつけて固定するように構成されている。
【００４８】
また、本実施形態に係る竹刀１１は、図３に示すように、細長板状の複数の刃部構成片１５がそれぞれ長さ方向に沿って横断面略方形状となるように配置されて形成された竹刀１１の刃部１３において、上記刃部構成片１５の内側に形成されている空洞部１６内に刃部保形具２１が装填されている。
また、上記竹刀１１における上記刃部保形具２１は、図２に示すように、断面方形状の保形具本体２２と、この保形具本体２２に設けられた固定部２３とを有し、上記保形具本体２２の中心部には長さ方向に沿って空隙部２４が形成されている。
【００４９】
また、上記竹刀１１における上記保形具本体２２は、上記刃部１３における中結１９の装着部位において上記空洞部１６内に配置されている。
また、上記竹刀１１における上記保形具本体２２は、衝撃を吸収しうる弾性変形可能な素材により形成されている。
また、上記竹刀１１における上記固定部２３は、図２に示すように、複数の孔部２６を有し、上記保形具本体２２に直交するように配置されたテープ状部材２５により構成され、上記固定部２３は、図３に示すように、上記保形具本体２２が刃部１３内に収納配置された場合には、刃部構成片１５の間隙より刃部１３の長さ方向に対して略直交するように外部に表出して配置され、上記孔部２６内に竹刀１１の上記刃部１３の長さ方向に沿って配設される弦２０を挿通すると共に、その上方から上記中結１９を巻きつけて固定するように構成されている。
【００５０】
また、図４及び図５は、刃部保形具の他の実施の形態を示し、本実施の形態に係る上記刃部保形具４０は、断面円形状の保形具本体４１と、上記保形具本体４１に設けられた固定部４２とを有し、その中心部には長さ方向に沿って四角柱状の空隙部４３が形成されている。
【実施例１】
【００５１】
図１は本実施例に係る竹刀１１を示したものである。この竹刀１１は、一端に手のひらで握持しうる柄部１２を有し、その柄部１２の先方に、相手と打ち合った場合に相手の竹刀と衝接しあう刃部１３が設けられている。
また、上記柄部１２と上記刃部１３の境界部位には鍔１４が装着されている。
【００５２】
上記刃部１３は、細長板状の４本の刃部構成片１５がそれぞれ長さ方向に沿って横断面略方形状となるように配置されることにより形成されている。
なお、本実施例における上記刃部構成片１５は竹を素材として形成されているが、他の素材、例えばカーボンファイバーを用いることも可能である。
【００５３】
上記４本の刃部構成片１５により構成された上記刃部１３の内側には空洞部１６が形成されている。すなわち、相手の竹刀と打ち合った場合に、相手の竹刀と当たった一部の上記刃部構成片１５が内側方向へ変形して衝撃を吸収しうるように上記空洞部１６が設けられている。
【００５４】
また、上記刃部１３の先端部位である剣先部１７には、上記４本の刃部構成片１５の先端部位を被覆する先革１８が装着されている。
なお、上記先革１８の内部には、図は省略するが先ゴムが上記４本の刃部構成片１５の間に挟まれるように配置されていて、当該先ゴムが上記空洞部１６を確保するためのスペーサの役割を果たしている。
【００５５】
また、上記刃部１３の長さ方向において中間部よりやや剣先寄りの位置に、上記刃部構成片１５を幅方向に締め付けて固定する皮製の中結１９が装着されている。また、上記先革１８と上記柄部１２との間には、上記刃部１３の長さ方向に沿って弦２０が張設されている。
【００５６】
次に、図２は本実施例に係る刃部保形具２１を示したものである。
この刃部保形具２１は、保形具本体２２と、固定部２３とにより構成され、「パンデックス（商品名）」という弾性変形可能なウレタン樹脂により形成されている。   
【００５７】
上記保形具本体２２は、一辺が略８ｍｍの断面方形で、長さが略２０ｍｍの四角柱に形成され、その中心部には長さ方向に沿って丸孔状の空隙部２４が形成されている。この空隙部２４は上記保形具本体２２の長さ方向の両端面にそれぞれ開通している。
【００５８】
上記刃部保形具２１の固定部２３は、上記保形具本体２２に直交するように、その保形具本体２２の一側面と同一平面上に配置されて、保形具本体２２の長さ方向の中央部から外方へ一体に突設された全体略長方形のテープ状部材２５により構成されている。
【００５９】
また、上記テープ状部材２５の幅寸法は８ｍｍで、上記保形具本体２２の長さ寸法より小さく設定されている。
また、上記テープ状部材２５の長さは略２０ｍｍで、その長さ方向の先端寄りに、直径２ｍｍの丸い孔部２６が長さ方向の３箇所に３ｍｍ間隔で穿設されている。
【００６０】
また、上記テープ状部材２５は曲げ変形して上記刃部１３の外周部に沿って配置しうるように、厚さ寸法が１ｍｍに設定されている。
上記刃部保形具２１は、その保形具本体２２が、図３に示すように、竹刀１１の刃部１３において、上記刃部構成片１５の内側に形成されている空洞部１６内に装填されている。
【００６１】
すなわち、断面略方形状に形成された上記保形具本体２２の各側面の外側にそれぞれ上記刃部構成片１５が対応して配置するように装填されている。
また、上記保形具本体２１は、図３に示すように、上記竹刀１１の刃部１３における上記中結１９の装着部位において、上記空洞部１６内に収納されている。
【００６２】
すなわち、上記保形具本体２１は上記中結１９の内側に配置されている。上記刃部保形具２１の固定部２３を構成する上記テープ状部材２５は、図３に示すように、上記刃部構成片１５の間隙より刃部１３の長さ方向に対して略直交するように外部に表出し、上記刃部１３の外周部に沿って配置されている。
【００６３】
上記テープ状部材２５は、上記孔部２６内に竹刀１１の上記刃部１３の長さ方向に沿って配設されている上記弦２０を挿通すると共に、上記テープ状部材２５の外側には上記中結１９が巻きつけられて固定されている。
なお、本実施例にあっては、上記固定部２３が全体略長方形状のテープ状部材により形成されている場合を実施例に説明したが、形状に関しえては、上記実施例に限定されず、例えば、楕円形状であってもよい。
【００６４】
本実施例の作用について説明する。
上記竹刀１１の刃部１３は、細長板状の４枚の刃部構成片１５がそれぞれ長さ方向に沿って横断面略方形状となるように配置されて、内部に空洞部１６を有するように形成されている。
【００６５】
従来の竹刀では、上記空洞部１６に何も装填されていないので、長期間、剣道の練習等により刃部で打撃した場合には、経年時に、上記４枚の刃部構成片１５に、図４及び図５に示すように潰れや捩じれが発生してしまう。
そして、４枚の刃部構成片１５に潰れや捩じれが発生すると、打撃した際に、上記４枚の刃部構成片１５が撓りにくくなり、衝撃吸収性が損なわれ、その結果、練習の相手側において打撃された際の衝撃が大きくなり、また、同様に竹刀で打った側も打撃を感じやすくなる。
【００６６】
しかしながら、本実施例に係る竹刀１１の場合は、図３に示すように、上記刃部構成片１５の内側に形成されている空洞部１６内に上記刃部保形具２１が装填されているので、上記刃部構成片１５の変形が上記刃部保形具２１に阻止され、潰れや捩じれが防止される。
その結果、隣接する刃部構成片１５の端部同士が擦れ合って、刃部構成片１５の一部が剥離するようなことがなく、打撃の際に面の格子の間から剥離片が相手方の目等に入る危険性が無くなり、安全性が向上する。
【００６７】
また、上記刃部保形具２１の保形具本体２２は、その中心部に長さ方向に沿って空隙部２４が形成されると共に、衝撃を吸収しうる弾性変形可能な素材により形成されていることから、衝撃を受けた際に、上記刃部保形具２１は中心方向へ圧縮することができて上記衝撃を吸収することができる。その結果、練習の相手側において打撃された際の衝撃が小さくなり、また、同様に竹刀で打った側も打撃を感じにくくなる。
【００６８】
また、上記竹刀１１における上記保形具本体２２は、図３に示すように、上記刃部１３における中結１９の装着部位において上記空洞部１６内に配置されることから、刃部１３で打撃した際に相手の刃部が衝接しやすい中結１９の装着部位において特に潰れや捩じれが防止される。
【００６９】
また、上記保形具本体２２上記固定部２３は、図２に示すように、複数の孔部２６を有し、上記保形具本体２２に直交するように配置されたテープ状部材２５により構成され、上記固定部２３は、図３に示すように、上記保形具本体２２が刃部１３内に収納配置された場合には、刃部構成片１５の間隙より刃部１３の長さ方向に対して略直交するように外部に表出して配置され、上記孔部２６内に竹刀１１の上記刃部１３の長さ方向に沿って配設される弦２０を挿通すると共に、その上方から上記中結１９を巻きつけて固定されることから、上記保形具本体２２が刃部１３の長さ方向において位置ずれするのが防止され、上記保形具本体２２が安定するので、上記保形具本体２２の潰れや捩じれ防止機能が十全に発揮される。
【実施例２】
【００７０】
図４及び図５は、本発明に係る刃部保形具の他の実施例を示す。
本実施例に係る刃部保形具４０は、断面円形状の保形具本体４１と、上記保形具本体４１に設けられたテープ状部材２５からなる固定部４２とを有し、その中心部には長さ方向に沿って四角柱状の空隙部４３が形成されている。
【００７１】
本実施例に係る刃部保形具４０にあっては、保形具本体４１は短円筒状に形成され、内部には軸方向に沿って四角柱状の空隙部４３が貫通して形成されている。刃部保形具４０の素材は、前期実施例に係る刃部保形具２１と同様である。
【００７２】
本実施例に係る刃部保形具４０を使用する場合には、実施例に係る竹刀１１の場合は、図５に示すように、上記４枚の刃部構成片１５の内側に形成されている空洞部１６内に上記刃部保形具４０が装填される。その結果、上記４枚の刃部構成片１５の変形が上記刃部保形具４０に阻止され、潰れや捩じれが防止される。
【００７３】
特に、本実施例に係る刃部保形具４０にあっては、保形具本体４１が全体略短円筒状に形成されていることから、４枚の刃部構成片１５の幅方向略中央部が夫々、上記保形具本体４１に当接した状態となる。この状態で、竹刀が練習に使用され、実際に打突に供された際の衝撃が加わった場合、上記４枚の刃部構成片１５の変形を上記保形具本体４１において、空隙部４３により保形具本体４１が容易に変形することにより入力された衝撃は吸収される。
【００７４】
この場合、保形具本体４１は、四角柱状の空隙部４３の各角部４４を介して潰れ変形する。この場合、保形具本体４１の応力は上記各角部４４に集中し、その後、これらの各角部４４を支点として復元する。
従って、本実施例に係る刃部保形具４０は、前期実施例に係る刃部保形具２１よりもより潰れ変形に強く、可撓性に富む。
【００７５】
また、上記のように、本実施例に係る特に、本実施例に係る刃部保形具４０にあっては、保形具本体４１が全体略短円筒状に形成されていることから、４枚の刃部構成片１５の幅方向略中央部が夫々、上記保形具本体４１に当接した状態となっていることから、前記実施例の場合とは異なり、各刃部構成片１５の当接部４５の部位が練習の相手方に当たったような場合に、本実施例においては、内方に空隙部４６が形成されていることから、各刃部構成片１５の変形が容易に行われ、前期実施例における場合よりも、より容易に衝撃を吸収することが可能となる。
【００７６】
その結果、本実施例に係る刃部保形具４０を使用した場合には、前記実施例におけるよりも、より強い衝撃に耐え、かつ、練習者にもダメージを与えることのない、安全な竹刀を提供することができる。
【産業上の利用可能性】
【００７７】
本発明は刃部の潰れや捩じれを防止するために、剣道で使用される竹刀に適用可能である。
【図面の簡単な説明】
【００７８】
【図１】本発明の実施例に係る竹刀を示す斜視図である。
【図２】本発明の実施例に係る刃部保形具を示す斜視図である。
【図３】図１のＡ−Ａ線における断面図である。
【図４】本発明に係る刃部保形具の他の実施例を示す斜視図である。
【図５】本発明に係る刃部保形具の他の実施例を示す図１のＡ−Ａ線断面図である。
【図６】従来例に係る竹刀の刃部が潰れた状態を示す断面図である。
【図７】従来例に係る竹刀の刃部が捩じれた状態を示す断面図である。
【符号の説明】
【００７９】
１１  竹刀
１２  柄部
１３  刃部
１４  鍔
１５  刃部構成片
１６  空洞部
１７  剣先部
１８  先革
１９  中結
２０  弦
２１  刃部保形具
２２  保形具本体
２３  固定部
２４  空隙部
２５  テープ状部材
２６  孔部
３０  竹刀
３１  刃部
３２  刃部構成片
４０  刃部保形具
４１  保形具本体
４２  固定部
４３  空隙部
４４  角部
４５  当接部
４６  空隙部
【図１】
2006175220.tif 000003
【図２】
2006175220.tif 000004
【図３】
2006175220.tif 000005
【図４】
2006175220.tif 000006
【図５】
2006175220.tif 000007
【図６】
2006175220.tif 000008
【図７】
2006175220.tif 000009